(57)【要約】【課題】ファンの駆動により生じる風の流れを利用してインバータ装置を空冷し、インバータ装置または前記制御盤の空冷用ファン等を削減することにより、余分な設備及び電力を使用することなくインバータ装置を冷却することができる熱交換器を提供することを目的とする。【解決手段】モータ７を変速可能とするインバータ８と、インバータ８を介してモータ７の動作を制御するインバータ制御部５１と、インバータ８とインバータ制御部５１とを収容するケーシング５２とを備えたインバータユニットＩＶＵを熱交換器本体の筺体Ｈに取り付け、筺体Ｈに開口部ｈを形成し、ファン装置３により形成される負圧により開口部ｈを通って熱交換器本体内に吸い込まれる空気の流れを利用してインバータユニットＩＶＵを冷却する。【選択図】図５
2018048763.tif 000002
【特許請求の範囲】
【請求項１】
液体と空気との間で熱交換を行う熱交換器本体と、モータとファンとを有し前記熱交換器本体に空気を導入するためのファン装置とを備えた熱交換器において、
前記モータを変速可能とするインバータと、該インバータを介して前記モータの動作を制御するインバータ制御部と、前記インバータと前記インバータ制御部とを収容するケーシングとを備えたインバータユニットを前記熱交換器本体の筺体に取り付け、
前記筺体に開口部を形成し、前記ファン装置により形成される負圧により前記開口部を通って前記熱交換器本体内に吸い込まれる空気の流れを利用して前記インバータユニットを冷却するようにしたことを特徴とする熱交換器。
【請求項２】
前記インバータユニットを前記筺体の天板又は側板に取り付けたことを特徴とする請求項１記載の熱交換器。
【請求項３】
前記インバータユニットをダクトを介して前記筺体の天板又は側板に取り付けたことを特徴とする請求項１記載の熱交換器。
【請求項４】
前記開口部は、前記インバータユニットを前記筺体に取り付けている取付部又はその近傍に形成されていることを特徴とする請求項１乃至３のいずれか一項に記載の熱交換器。
【請求項５】
前記空気の流れは、前記インバータユニットのケーシングの周囲に形成されることを特徴とする請求項１乃至４のいずれか一項に記載の熱交換器。
【請求項６】
前記インバータユニットのケーシングは外面に多数のフィンを備え、前記空気の流れは相隣接するフィン間の通路に形成されることを特徴とする請求項１乃至５のいずれか一項に記載の熱交換器。
【請求項７】
前記インバータユニットのケーシングの外側に、該ケーシングを囲むようにガイド板を設け、前記空気の流れは前記ガイド板と前記ケーシングとの間の通路に形成されることを特徴とする請求項１乃至５のいずれか一項に記載の熱交換器。
【請求項８】
前記インバータユニットのケーシングは、外気が入らない密閉構造であることを特徴とする請求項１乃至７のいずれか一項に記載の熱交換器。
【請求項９】
前記熱交換器は、ルーバを前記筺体の側面に取り付けた冷却塔であり、前記インバータユニットを前記ルーバの取付面でない側面に取り付けることを特徴とする請求項１乃至８のいずれか一項に記載の熱交換器。
【請求項１０】
前記熱交換器は、放熱フィンを備えた冷却管を前記筺体の側面に取り付けたラジエータであり、前記インバータユニットを前記冷却管の取付面でない側面に取り付けることを特徴とする請求項１乃至８のいずれか一項に記載の熱交換器。
【発明の詳細な説明】
【技術分野】
【０００１】
本発明は、熱交換器に係り、特に、冷却塔またはラジエータなどの空冷式または水冷式の熱交換器に関する。
【背景技術】
【０００２】
従来から、空調設備やプラントなどで使用される液体（例えば、冷却水）を冷却するための冷却システムに、冷却塔またはラジエータなどの熱交換器が用いられている。このような熱交換器は、熱交換器本体と、該熱交換器本体に液体を導入する導入管、および熱交換器本体から液体を排出する排水管と、熱交換器本体の内部に外気を導入するためのファン装置を有している。ファン装置は、モータと、該モータの回転軸に連結されたファンとを有し、モータによってファンを回転させることにより熱交換器本体の内部に空気が導入される。導入管から熱交換器本体に導入された液体は、該熱交換器本体に導入された空気と熱交換を行うことにより冷却される。冷却された液体は、熱交換器本体から排水管を通って排出される。熱交換器本体の内部に導入され、液体と熱交換を行った空気は、ファン装置を通って熱交換器本体から排出される。
【０００３】
ファンモータを変速可能とするインバータ装置を有するファン装置を備えた熱交換器が知られている。特許文献１には、冷却塔のファンモータの回転速度をインバータ装置により制御する技術が開示されている。インバータ装置を構成するインバータ回路は、通常スイッチング素子とその周辺回路により構成され、インバータ装置は、スイッチング素子を含む主回路のスイッチングの際に生じる熱を冷却する必要があり、インバータ装置は、それらの熱を冷却用ファンやヒートシンクなどにより冷却している。
【先行技術文献】
【特許文献】
【０００４】
【特許文献１】特開平５−３４０６９０号公報
【発明の概要】
【発明が解決しようとする課題】
【０００５】
上述したように、インバータ装置は、スイッチング素子を含む回路のスイッチングの際に生じる熱を冷却するために冷却用ファンにより冷却している。冷却塔及びインバータ装置は屋外に設置されることが多く、直射日光を受ける場所に設置された場合には、インバータ装置が高温となり故障の原因となる可能性がある。また、インバータ装置が高温により故障しないよう、インバータ装置は冷却塔システム全体を制御する制御装置と共に制御盤に設置され、制御盤をファンにより空冷するなどさらに電力を消費している。
【０００６】
本発明は、上述の事情に鑑みてなされたもので、冷却塔またはラジエータなどの熱交換器が備えているファンの駆動により生じる空気の流れを利用してインバータ装置（インバータユニット）を空冷することにより、インバータ装置用の空冷用ファンまたはインバータ装置を設置した制御盤用の空冷用ファンを削除することができ、余分な設備及び電力を使用することなくインバータ装置を冷却することができる熱交換器を提供することを目的とする。
【課題を解決するための手段】
【０００７】
上述の目的を達成するため、本発明の熱交換器は、液体と空気との間で熱交換を行う熱交換器本体と、モータとファンとを有し前記熱交換器本体に空気を導入するためのファン装置とを備えた熱交換器において、前記モータを変速可能とするインバータと、該インバータを介して前記モータの動作を制御するインバータ制御部と、前記インバータと前記インバータ制御部とを収容するケーシングとを備えたインバータユニット（インバータ装置）を前記熱交換器本体の筺体に取り付け、前記筺体に開口部を形成し、前記ファン装置により形成される負圧により前記開口部を通って前記熱交換器本体内に吸い込まれる空気の流れを利用して前記インバータユニットを冷却するようにしたことを特徴とする。
【０００８】
本発明の好ましい態様は、前記インバータユニットを前記筺体の天板又は側板に取り付けたことを特徴とする。
本発明の好ましい態様は、前記インバータユニットをダクトを介して前記筺体の天板又は側板に取り付けたことを特徴とする。
本発明の好ましい態様は、前記開口部は、前記インバータユニットを前記筺体に取り付けている取付部又はその近傍に形成されていることを特徴とする。
【０００９】
本発明の好ましい態様は、前記空気の流れは、前記インバータユニットのケーシングの周囲に形成されることを特徴とする。
本発明の好ましい態様は、前記インバータユニットのケーシングは外面に多数のフィンを備え、前記空気の流れは相隣接するフィン間の通路に形成されることを特徴とする。
本発明の好ましい態様は、前記インバータユニットのケーシングの外側に、該ケーシングを囲むようにガイド板を設け、前記空気の流れは前記ガイド板と前記ケーシングとの間の通路に形成されることを特徴とする。
【００１０】
本発明の好ましい態様は、前記インバータユニットのケーシングは、外気が入らない密閉構造であることを特徴とする。
本発明の好ましい態様は、前記熱交換器は、ルーバを前記筺体の側面に取り付けた冷却塔であり、前記インバータユニットを前記ルーバの取付面でない側面に取り付けることを特徴とする。
本発明の好ましい態様は、前記熱交換器は、放熱フィンを備えた冷却管を前記筺体の側面に取り付けたラジエータであり、前記インバータユニットを前記冷却管の取付面でない側面に取り付けることを特徴とする。
【発明の効果】
【００１１】
本発明は、以下に列挙する効果を奏する。
（１）冷却塔またはラジエータなどの熱交換器が備えているファンの駆動により生じる空気の流れを利用してインバータ装置（インバータユニット）を空冷することにより、インバータ装置用の空冷用ファンまたはインバータ装置を設置した制御盤用の空冷用ファンを削除することができ、余分な設備及び電力を使用することなくインバータ装置を冷却することができる。
（２）インバータ装置を熱交換器本体の筺体の適所に取り付けて空冷することにより、インバータ装置の操作表示器に容易にアクセスすることができ、またインバータ装置のメンテナンスがしやすい場所を選んで設置することが可能である。
（３）インバータ装置のケーシングは、外気が入らない密閉構造であるため、負圧により熱交換器本体内に吸い込まれる空気の流れに伴って帯同される水分をインバータ装置のケーシングに入ることを防ぐことができる。
（４）熱交換器がルーバを筺体の側面に取り付けた冷却塔の場合、インバータ装置をルーバの取付面でない側面に取り付けるため、インバータ装置により冷却塔内に吸い込まれる空気の流れを妨げることがない。
（５）熱交換器が放熱フィンを備えた冷却管を筺体の側面に取り付けたラジエータの場合、インバータ装置を冷却管の取付面でない側面に取り付けるため、インバータ装置によりラジエータ内に吸い込まれる空気の流れを妨げることがない。
【図面の簡単な説明】
【００１２】
【図１】図１は、本発明の熱交換器である冷却塔の一実施形態を示す模式図である。
【図２】図２は、本発明の熱交換器である冷却塔の他の実施形態を示す模式図である。
【図３】図３（ａ）は、本発明の熱交換器であるラジエータの一実施形態を示す模式図であり、図３（ｂ）は、図３（ａ）に示す枠体の内部空間を蛇行する冷却管を示す模式図である。
【図４】図４は、図１乃至図３に示すファン装置の断面図である。
【図５】図５（ａ），（ｂ）は、本発明のインバータユニットを熱交換器本体（冷却塔本体又はラジエータ本体）の筐体に取り付けた実施形態を示す模式図である。
【図６】図６（ａ），（ｂ），（ｃ）は、本発明のインバータユニットを熱交換器本体（冷却塔本体又はラジエータ本体）の筺体の天板又は側板に取り付ける取り付け方法を示す模式図である。
【図７】図７は、熱交換器本体の筺体に取り付けられるインバータユニットのケーシングの外側に、ケーシングを囲むようにガイド板を設けた実施形態を示す模式図である。
【発明を実施するための形態】
【００１３】
以下、本発明に係る熱交換器の実施形態を図１乃至図７を参照して説明する。図１乃至図７において、同一または相当する構成要素には、同一の符号を付して重複した説明を省略する。
図１は、本発明の熱交換器である冷却塔の一実施形態を示す模式図である。図１に示す冷却塔は、冷却塔本体（熱交換器本体）１と、冷却塔本体１の筺体Ｈの内部に配置された充填材２と、冷却塔本体１の上部に取り付けられたファン装置３を備えている。ファン装置３の詳細な構成は後述する。ファン装置３のファンケーシング１８内に配置されたファン５をモータ７によって回転させると、冷却塔本体１の筺体Ｈの側面に設けられたルーバ１５を通って、空気が冷却塔本体１に導入される。冷却塔本体１に導入された空気は、ファン装置３を通って冷却塔から排出される。
【００１４】
冷却塔は、冷却塔本体１の筺体Ｈを貫通して延びる導入管１０を有しており、液体（例えば、冷却水）は、この導入管１０を通って冷却塔本体１に導入される。導入管１０の末端には、充填材２の上方に位置する放出口１０ａが形成されており、この放出口１０ａから液体が充填材２に放出される。充填材２に放出された液体は充填材２の内部を流れ落ち、ファン装置３によって冷却塔本体１に導入された空気と接触する。これにより、液体と空気との間で熱交換が行われ、液体が冷却される。
【００１５】
冷却された液体は、冷却塔本体１の下部に設けられた水槽１２に集められ、該水槽１２に接続された排水管１１から冷却塔本体１の外部に排出される。排水管１１には、該排水管１１を流れる液体の温度である出口温度を測定する温度センサ１９が取り付けられている。図１に示す冷却塔は、液体が空気により直接的に冷却される水冷式の熱交換器であり、開放形冷却塔と称される。
【００１６】
図２は、本発明の熱交換器である冷却塔の他の実施形態を示す模式図である。図２に示す冷却塔は、冷却塔本体（熱交換器本体）１と、冷却塔本体１の筺体Ｈの内部に配置されたコイル管２０と、冷却塔本体１の上部に取り付けられたファン装置３を備えている。図２に示す冷却塔の導入管１０は、冷却塔本体１の内部に配置されたコイル管２０の一端に接続されており、液体を冷却塔本体１から排出する排水管１１は、コイル管２０の他端に接続されている。本実施形態においても、排水管１１には、液体の出口温度を測定する温度センサ１９が取り付けられている。液体は、導入管１０からコイル管２０に流入し、コイル管２０から排水管１１に流出する。さらに、この冷却塔は、水をコイル管２０に散布するための散水管２２を備えている。散水管２２は、冷却塔の外部からコイル管２０の上方まで延びており、散水管２２の末端には、水を散布する散水口２２ａが形成されている。散水管２２の散水口２２ａから散布された水は、コイル管２０の表面に接触することにより、該コイル管２０を流れる液体と熱交換を行う。これにより、コイル管２０を流れる液体が冷却される。
【００１７】
散水管２２の散水口２２ａから散布された水は、ファン装置３によって冷却塔本体１に導入された空気によって冷却される。コイル管２０に接触して流れ落ちた水は、水槽１２に集められ、該水槽１２に接続された散水ドレン管２５から冷却塔の外部に排出される。図２に示す冷却塔は、コイル管２０を流れる液体が散水管２２から散布された水により冷却される水冷式の熱交換器であり、密閉形冷却塔と称される。
【００１８】
図３（ａ）は、本発明の熱交換器であるラジエータの一実施形態を示す模式図であり、図３（ｂ）は、図３（ａ）に示す枠体の内部空間を蛇行する冷却管を示す模式図である。図３（ａ）に示すラジエータは、ラジエータ本体（熱交換器本体）３１と、ラジエータ本体３１の筐体Ｈに取り付けられるとともに液体が流れる冷却管３２（図３（ｂ）参照）が配置されている枠体３３と、ラジエータ本体３１の上部に取り付けられたファン装置３とを備えている。
【００１９】
図３（ｂ）に示すように、枠体３３内に設置された冷却管３２の一端は、ラジエータ本体３１に液体を導入する導入管１０に接続されており、冷却管３２の他端は、ラジエータ本体３１から液体を排出する排水管１１に接続されている。本実施形態においても、排水管１１には、液体の出口温度を測定する温度センサ１９が取り付けられている。冷却管３２は、該冷却管３２の直管部３２ａが鉛直方向に延びるように、枠体３３の内部空間を蛇行している。冷却管３２は、該冷却管３２の直管部３２ａが水平方向に延びるように、枠体３３の内部空間を蛇行してもよい。枠体３３は、ラジエータ本体３１の筐体Ｈの側面に形成された開口に嵌め込まれて、ラジエータ本体３１に固定されている。図示はしないが、冷却管３２が取り付けられている枠体３３は、ラジエータ本体３１の筐体Ｈの上面または下面に形成された開口に嵌め込まれてもよい。
【００２０】
図３（ａ）に示すラジエータにおいて、ファン装置３のファン５をモータ７によって回転させると、蛇行する冷却管３２の間に形成された隙間を通って、空気がラジエータ本体３１に導入される。冷却管３２には、通常、放熱フィン（図示せず）が取り付けられ、冷却管３２を流れる液体の熱は放熱フィンに伝達される。ラジエータの冷却管３２を流れる液体は、冷却管３２および放熱フィンを介して、ファン装置３によってラジエータ本体３１の内部に導入された空気と熱交換を行う。これにより、冷却管３２を流れる液体が冷却される。図３に示すラジエータは、冷却管３２を流れる液体が空気により冷却される空冷式の熱交換器である。
【００２１】
図４は、図１乃至図３に示すファン装置３の断面図である。図４では、ファン５を収容するファンケーシング１８の図示を省略している。図４に示すファン装置３は、図１または図２に示す冷却塔、または図３に示すラジエータなどの熱交換器に設けられる。ファン装置３は、ファン５と、該ファン５を回転させるモータ７とを備えている。モータ７はモータケーシング１７に収容されている。ファン５は、ハブ１３と、このハブ１３から放射状に延びる複数の翼１４とを有している。ファン５のハブ１３がモータ７の回転軸６の端部に固定されることにより、ファン５がモータ７に直接連結されている。
ファン装置３は、モータ７を変速可能とするインバータ８と、インバータ８を介してモータ７の動作を制御するインバータ制御部５１と、インバータ８とインバータ制御部５１を収容するケーシング５２とを有したインバータユニット（インバータ装置）ＩＶＵを備えている。
【００２２】
インバータユニットＩＶＵは、ファン５を収容するファンケーシング１８やモータ７を収容するモータケーシング１７とは、物理的に切り離された別ユニットとして構成されている。インバータユニットＩＶＵのケーシング５２には、電源ケーブル孔５２ａが形成されており、この電源ケーブル孔５２ａを通って、電源（図示せず）からインバータ８に電力を供給する電源ケーブル４２が延びている。インバータユニットＩＶＵには、温度センサ１９が出力する出口温度の測定値に基づいて、モータ７の動作の制御信号（例えば、モータ７の始動信号若しくは停止信号、またはモータ７の回転速度の指令値など）をインバータ制御部５１に出力する温度制御部５３が設置されている。温度センサ１９から温度制御部５３まで延びる信号ケーブル４５は、前記電源ケーブル孔５２ａを通っている。インバータユニットＩＶＵのケーシング５２にはケーブル孔５２ｂが形成され、モータケーシング１７にはケーブル孔１７ａが形成されている。インバータ８からモータ７に電力を供給するモータケーブル４６は、インバータ８からケーブル孔５２ｂ，１７ａを通ってモータ７に延びている。インバータユニットＩＶＵの電源ケーブル孔５２ａおよびケーブル孔５２ｂはシール部材により密閉されている。したがって、インバータユニットＩＶＵのケーシング５２は、外気が入らない密閉構造になっている。モータケーシング１７のケーブル孔１７ａも同様にシール部材により密閉されている。
【００２３】
インバータ制御部５１は、インバータ８を構成するパワー素子（例えば、ＩＧＢＴなどのスイッチング素子）５０などが配置されたインバータ基板８ａ上に配置されている。一実施形態では、インバータ制御部５１をインバータ８から離して配置してもよい。インバータ制御部５１がインバータ８のパワー素子５０のスイッチング動作を制御することで、モータ７の回転速度、すなわちファン５の回転速度を制御する。
【００２４】
温度センサ１９は、信号ケーブル４５を介して温度制御部５３に接続されており、温度センサ１９が出力する出口温度の測定値は、信号ケーブル４５を介して温度制御部５３に入力される。インバータ制御部５１は、温度制御部５３から出力された制御信号に基づいて、モータ７の動作（すなわち、モータ７の始動もしくは停止、またはモータ７の回転速度）を制御する。温度制御部５３は、モータ７を始動させる始動温度と、出口温度の測定値を収束させる所定の目標温度と、モータ７を停止させる停止温度を予め記憶している。温度制御部５３は、出口温度の測定値が始動温度よりも高くなった場合に、モータ７の始動信号（制御信号）をインバータ制御部５１に出力し、これにより、インバータ制御部５１は、インバータ８を介してモータ７を始動させる。
【００２５】
モータ７の始動後、温度制御部５３は、出口温度の測定値を目標温度に一致させるためのモータ７の回転速度の指令値（制御信号）をインバータ制御部５１に出力する。温度制御部５３は、図示しない演算装置（例えば、ＣＰＵ）を有しており、該演算装置が出口温度の測定値を目標温度に一致させるためのモータ７の回転速度の指令値を演算する。温度制御部５３から出力されたモータ７の回転速度の指令値を受け取ったインバータ制御部５１は、該指令値に基づいて、インバータ８を制御し、モータ７の回転速度を増加または減少させる。さらに、温度制御部５３は、出口温度の測定値が停止温度よりも低くなった場合に、モータ７の停止信号（制御信号）をインバータ制御部５１に出力し、これにより、インバータ制御部５１は、インバータ８を介してモータ７を停止させる。インバータユニットＩＶＵは、パワー素子５０による主回路のスイッチングの際に熱を生じるため、冷却をする必要がある。
【００２６】
次に、図４に示すインバータユニットＩＶＵの設置方法について説明する。
本発明においては、インバータユニットＩＶＵは、ファン５を収容するファンケーシング１８やモータ７を収容するモータケーシング１７とは、物理的に切り離された別ユニットとして構成されている。そのため、インバータユニットＩＶＵを単独で熱交換器本体（冷却塔本体１又はラジエータ本体３１）の筐体Ｈに取り付けることができる。
図５（ａ），（ｂ）は、本発明のインバータユニットＩＶＵを熱交換器本体（冷却塔本体１又はラジエータ本体３１）の筐体Ｈに取り付けた実施形態を示す模式図である。図５（ａ）はインバータユニットＩＶＵを熱交換器本体（冷却塔本体１又はラジエータ本体３１）の筐体Ｈの天板ＴＰに取り付けた場合を示し、図５（ｂ）はインバータユニットＩＶＵを熱交換器本体（冷却塔本体１又はラジエータ本体３１）の筐体Ｈの側板ＳＰに取り付けた場合を示す。
【００２７】
図５（ａ）に示す例においては、インバータユニットＩＶＵは筐体Ｈの上面にある天板ＴＰに取り付けられ、この取り付け位置は、ファン５を収納するファンケーシング１８が設置されているエリア以外であって階段ＳＴによりアクセス可能な天板ＴＰ上のエリアであり、インバータユニットＩＶＵに設置されている操作表示器（不図示）に容易にアクセスが可能であり、また、修理等でインバータユニットＩＶＵを交換する際にも容易にアクセスが可能である。
図５（ｂ）に示す例においては、インバータユニットＩＶＵは筐体Ｈの側面にある側板ＳＰに取り付けられ、この取り付け位置は、熱交換器本体内に吸い込まれる空気の流れを妨げることのないよう、ルーバ１５（図１および図２）の取付面でない側板または冷却管３２（図３）の取付面でない側板ＳＰ上のエリアに取り付ける。また、側板ＳＰに取り付けられているため、インバータユニットＩＶＵに設置されている操作表示器（不図示）に容易にアクセスが可能であり、さらに、修理等でインバータユニットＩＶＵを交換する際にも容易にアクセスが可能である。
図５（ａ），（ｂ）に示すように、インバータユニットＩＶＵには電源ケーブル４２が接続され、インバータユニットＩＶＵとモータ７とはモータケーブル４６により接続されている。
【００２８】
図６（ａ），（ｂ），（ｃ）は、本発明のインバータユニットＩＶＵを熱交換器本体（冷却塔本体１又はラジエータ本体３１）の筺体Ｈの天板ＴＰ又は側板ＳＰに取り付ける取り付け方法を示す模式図である。
図６（ａ）に示す例においては、筺体Ｈの天板ＴＰに開口部ｈを形成し、インバータユニットＩＶＵを開口部ｈにおいて天板ＴＰに取り付けるようにしている。インバータユニットＩＶＵのケーシング５２は、外面に多数のフィン５２ｆを備えている。図６（ａ）に示すように構成することにより、ファン装置３により形成される負圧により開口部ｈを通って熱交換器本体内に吸い込まれる空気の流れを利用してインバータユニットＩＶＵを冷却することができる。前記空気の流れは、インバータユニットＩＶＵのケーシング５２の周囲に形成され、そして相隣接するフィン５２ｆ間の通路に形成される。
【００２９】
図６（ｂ）に示す例においては、筺体Ｈの側板ＳＰに開口部ｈを形成し、インバータユニットＩＶＵを開口部ｈにおいて側板ＳＰに取り付けるようにしている。インバータユニットＩＶＵのケーシング５２は、外面に多数のフィン５２ｆを備えている。図６（ｂ）に示すように構成することにより、ファン装置３により形成される負圧により開口部ｈを通って熱交換器本体内に吸い込まれる空気の流れを利用してインバータユニットＩＶＵを冷却することができる。前記空気の流れは、インバータユニットＩＶＵのケーシング５２の周囲に形成され、そして相隣接するフィン５２ｆ間の通路に形成される。
【００３０】
図６（ｃ）に示す例においては、筺体Ｈの天板ＴＰに開口部ｈを形成し、この開口部ｈにダクト５５を設け、インバータユニットＩＶＵをダクト５５を介して天板ＴＰに取り付けるようにしている。インバータユニットＩＶＵのケーシング５２は、外面に多数のフィン５２ｆを備えている。図６（ｃ）に示すように構成することにより、ファン装置３により形成される負圧によりダクト５５および開口部ｈを通って熱交換器本体内に吸い込まれる空気の流れを利用してインバータユニットＩＶＵを冷却することができる。また、インバータユニットＩＶＵを上方に持ち上げることで、インバータユニットＩＶＵに設置されている操作表示器（不図示）を操作者に近づけることができ、アクセスが容易になる。さらに、冷却塔本体１又はラジエータ本体３１への雨水の侵入を防止することができる。なお、図６（ｃ）においては、天板ＴＰにダクト５５を設けたが、側板ＳＰにダクト５５を設けてもよい。
【００３１】
図７は、熱交換器本体の筺体Ｈに取り付けられるインバータユニットＩＶＵのケーシング５２の外側に、ケーシング５２を囲むようにガイド板を設けた実施形態を示す模式図である。図７に示すように、熱交換器本体の筺体Ｈの天板ＴＰに開口部ｈを形成し、開口部ｈに漏斗状のガイド板５６を設けている。ガイド板５６は、インバータユニットＩＶＵのケーシング５２を囲むように配置されている。ガイド板５６は、円筒状部５６ａと逆円錐状部５６ｂと管状部５６ｃとから構成され、管状部５６ｃの下端部が天板ＴＰの開口部ｈに接続されている。インバータユニットＩＶＵはガイド板５６から延びるサポート５６ｓにより支持されている。図７に示すように構成することにより、ファン装置３により形成される負圧により開口部ｈを通って熱交換器本体内に吸い込まれる空気の流れを利用してインバータユニットＩＶＵを冷却することができる。前記空気の流れは、ガイド板５６とインバータユニットＩＶＵのケーシング５２との間の通路に形成され、そして相隣接するフィン５２ｆ間の通路に形成されるので、インバータユニットＩＶＵの側面の空気の流れにより、さらにインバータユニットＩＶＵを冷却することができる。なお、図７においては、天板ＴＰにガイド板５６を設けたが、側板ＳＰにガイド板５６を設けてもよい。
【００３２】
図６（ａ），（ｂ），（ｃ）および図７に示す実施形態においては、インバータユニットＩＶＵのパワー素子５０を含むインバータ８が稼働しているときには、ファン装置３が稼働してファン５が回転しているので、熱交換器本体内が負圧になる。この負圧により筺体Ｈに形成された開口部ｈを通って熱交換器本体内に吸い込まれる空気の流れが形成される。すなわち、ファン装置３により形成される熱交換器本体内の負圧を利用してインバータユニットＩＶＵのケーシング５２の周囲に空気の流れを形成することができる。したがって、インバータユニットＩＶＵの空冷用ファンまたはインバータユニットＩＶＵを設置した制御盤用の空冷用ファンを用いずにインバータユニットＩＶＵを冷却することができる。開口部ｈは、インバータユニットＩＶＵを筺体Ｈに取り付けている取付部又はその近傍に形成されている。インバータユニットＩＶＵを開口部ｈに直接取り付けてもよいし、ダクト５５等を介して取り付けてもよい。
【００３３】
また、上述したようにインバータユニットＩＶＵの電源ケーブル孔５２ａおよびケーブル孔５２ｂはシール部材により外気が入らない密閉構造になっていることから、負圧により熱交換器本体内に吸い込まれる空気の流れに伴って帯同される水分をインバータユニットＩＶＵのケーシングに入ることを防ぐことができる。
【００３４】
上述した実施形態は、本発明が属する技術分野における通常の知識を有する者が本発明を実施できることを目的として記載されたものである。上記実施形態の種々の変形例は、当業者であれば当然になしうることであり、本発明の技術的思想は他の実施形態にも適用しうる。したがって、本発明は、記載された実施形態に限定されることはなく、特許請求の範囲によって定義される技術的思想に従った最も広い範囲とすべきである。
【符号の説明】
【００３５】
１    冷却塔本体
２    充填材
３    ファン装置
５    ファン
６    回転軸
７    モータ
８    インバータ
１０    導入管
１１    排水管
１２    水槽
１３    ハブ
１４    翼
１５    ルーバ
１７    モータケーシング
１９    温度センサ
１８    ファンケーシング
２０    コイル管
２２    散水管
２５    散水ドレン管
３１    ラジエータ本体
３２    冷却管
３２ａ    直管部
３３    枠体
４２    電源ケーブル
４５    信号ケーブル
４６    モータケーブル
５０    パワー素子
５１    インバータ制御部
５２    ケーシング
５３    温度制御部
５５    ダクト
Ｈ      筺体
ｈ      開口部
ＩＶＵ  インバータユニット
ＴＰ    天板
ＳＰ    側板
ＳＴ    階段
【図１】
2018048763.tif 000003
【図２】
2018048763.tif 000004
【図３】
2018048763.tif 000005
【図４】
2018048763.tif 000006
【図５】
2018048763.tif 000007
【図６】
2018048763.tif 000008
【図７】
2018048763.tif 000009